(57)【要約】【課題】バスバーに負荷をかけずに組み付けることが可能なプロテクタおよびバスバーモジュールを提供する。【解決手段】バスバーＢの周縁を包囲する包囲壁１１と、前記包囲壁１１に設けられ、前記包囲壁１１の内外方向に弾性変形可能な可動ロック部１７と、を有し、前記可動ロック部１７が、自然状態では、前記包囲壁１１の内周面と面一もしくは内周面よりも外側に退避した退避姿勢をとり、押動部３５によって押し動かされることで、前記包囲壁１１の内周面よりも内側に突出して前記バスバーＢに係止する係止姿勢になるものである。【選択図】図１０
2017134959.tif 000002
【特許請求の範囲】
【請求項１】
バスバーの周縁を包囲する包囲壁と、
前記包囲壁に設けられ、前記包囲壁の内外方向に弾性変形可能な可動ロック部と、を有し、
前記可動ロック部が、自然状態では、前記包囲壁の内周面と面一もしくは内周面よりも外側に退避した退避姿勢をとり、押動部によって押し動かされることで、前記包囲壁の内周面よりも内側に突出して前記バスバーに係止する係止姿勢になるものであるプロテクタ。
【請求項２】
前記可動ロック部の外側に位置して、前記押動部を外側から支持する支持部を備えている請求項１に記載のプロテクタ。
【請求項３】
前記包囲壁の上面側に取り付けられるカバーを有し、
前記押動部が、前記カバーに一体に形成されている請求項１または請求項２に記載のプロテクタ。
【請求項４】
前記押動部と前記可動ロック部とが、前記カバーの取り付け状態において前記カバーの取り外しに抗するように係止する係止構造を有している請求項３に記載のプロテクタ。
【請求項５】
バスバーの周縁を包囲する包囲壁と、
前記包囲壁に設けられ、前記包囲壁の内外方向に弾性変形可能な可動ロック部と、を有し、
前記可動ロック部が、自然状態では、前記包囲壁の内周面よりも内側に突出して前記バスバーに係止する係止姿勢をとり、押動部によって押し動かされることで、前記包囲壁の内周面と面一もしくは内周面よりも外側に退避した退避姿勢になるものであるプロテクタ。
【請求項６】
前記可動ロック部の下端部に、前記可動ロック部の自然状態において、前記包囲壁の内周面よりも内側に突出する突出部が設けられ、前記可動ロック部の上端側を内側に押し動かすことで、前記突出部が前記包囲壁の内周面と面一もしくは内周面よりも外側に退避するようになっている請求項５に記載のプロテクタ。
【請求項７】
請求項１ないし請求項６のいずれか一項に記載されたプロテクタと、
前記プロテクタに保持されたバスバーと、を備えているバスバーモジュール。
【発明の詳細な説明】
【技術分野】
【０００１】
本発明は、プロテクタおよびバスバーモジュールに関する。
【背景技術】
【０００２】
従来、ハイブリッド車両や電気自動車等に搭載される電池パックが知られている。電池パックは、積層された複数の単電池を電気的に接続したものである。複数の単電池は、例えば下記特許文献１に記載されているように、バスバーモジュールによって電気的に接続される。バスバーモジュールは、樹脂製のプロテクタに、単電池の電極端子同士を接続する複数のバスバーが保持されたものである。
【０００３】
プロテクタは、各バスバーの周縁を包囲する包囲壁を有し、包囲壁にはバスバーを抜け止めするための抜け止め片が形成されている。抜け止め片は、包囲壁の下端から上方に伸びて形成された一対のスリットの間に形成され、抜け止め片の下端部は包囲壁の内側に突出している。上方から包囲壁の内側にバスバーを挿入すると、バスバーが抜け止め片の下端部に当接し、抜け止め片が外側に弾性変形して、バスバーが包囲壁の底に載置される。抜け止め片は弾性復帰し、抜け止め片の下端部がバスバーの上面に係止することで、バスバーが抜け止めされる。
【先行技術文献】
【特許文献】
【０００４】
【特許文献１】特開２０１３−１０５５８７号公報
【発明の概要】
【発明が解決しようとする課題】
【０００５】
ところで、近年、バスバーの薄板化が望まれている。しかしながら、上記のような構成では、バスバーをプロテクタに組み付ける際に、抜け止め片を弾性変形させるだけの力がバスバーに作用する。このため、バスバーを薄型化すると、抜け止め片によってバスバーが変形してしまう虞がある。
【０００６】
本発明は上記のような事情に基づいて完成されたものであって、バスバーに負荷をかけずに組み付けることが可能なプロテクタおよびバスバーモジュールを提供することを目的とする。
【課題を解決するための手段】
【０００７】
本発明のプロテクタは、バスバーの周縁を包囲する包囲壁と、前記包囲壁に設けられ、前記包囲壁の内外方向に弾性変形可能な可動ロック部と、を有し、前記可動ロック部が、自然状態では、前記包囲壁の内周面と面一もしくは内周面よりも外側に退避した退避姿勢をとり、押動部によって押し動かされることで、前記包囲壁の内周面よりも内側に突出して前記バスバーに係止する係止姿勢になるものである。
本発明のバスバーモジュールは、前記プロテクタと、前記プロテクタに保持されたバスバーと、を備えている。
【発明の効果】
【０００８】
本発明によれば、可動ロック部が、自然状態において退避姿勢をとるから、バスバーに負荷をかけずにバスバーを包囲壁の内側に収容することができ、バスバーを包囲壁の内側に収容した後に、押動部によって可動ロック部を係止姿勢に押し動かすことで、バスバーが可動ロック部によって抜け止めされる。したがって、バスバーに負荷をかけずに組み付けることができる。
【図面の簡単な説明】
【０００９】
【図１】実施例１におけるバスバーモジュールを示す斜視図
【図２】プロテクタ本体を示す斜視図
【図３】プロテクタ本体を示す平面図
【図４】カバーを示す斜視図
【図５】カバーを示す底面図
【図６】カバーを示す側面図
【図７】プロテクタ本体にバスバーを収容する様子を示す断面図であって、図３のＡ−Ａ位置における断面に相当する断面図
【図８】バスバーが収容されたプロテクタ本体にカバーを取り付ける前の状態を示す断面図であって、図３のＢ−Ｂ位置における断面に相当する断面図
【図９】バスバーが収容されたプロテクタ本体にカバーを取り付ける様子を示す断面図であって、図３のＢ−Ｂ位置における断面に相当する断面図
【図１０】プロテクタ本体にカバーが取り付けられてバスバーが抜け止めされた状態を示す断面図であって、図３のＢ−Ｂ位置における断面に相当する断面図
【図１１】実施例２におけるプロテクタ本体の一部を示す断面図
【図１２】カバーを示す側面図
【図１３】図１２とは異なる方向から見たカバーを示す側面図
【図１４】バスバーが収容されたプロテクタ本体にカバーを取り付ける前の状態を示す一部拡大断面図
【図１５】バスバーが収容されたプロテクタ本体にカバーを取り付ける様子を示す一部拡大断面図
【図１６】プロテクタ本体にカバーが取り付けられてバスバーが抜け止めされた状態を示す一部拡大断面図
【図１７】実施例３におけるプロテクタ本体を示す斜視図
【図１８】プロテクタ本体の一部を示す断面図
【図１９】カバーを示す斜視図
【図２０】プロテクタ本体にバスバーを収容する際の可動ロック部の動作を示す断面図
【図２１】プロテクタ本体にカバーが取り付けられて係止爪が被係止部に係止した状態を示す断面図
【発明を実施するための形態】
【００１０】
本発明の好ましい形態を以下に示す。
本発明のプロテクタは、前記可動ロック部の外側に位置して、前記押動部を外側から支持する支持部を備えているものとしてもよい。このような構成によれば、可動ロック部の弾発力を受けて押動部が外側に変位することが防がれるから、可動ロック部を確実に内側に押し動かすことができる。
【００１１】
また、本発明のプロテクタは、前記包囲壁の上面側に取り付けられるカバーを有し、前記押動部が、前記カバーに一体に形成されているものとしてもよい。このような構成によれば、押動部とカバーとを別体に設ける場合に比して、部品点数を減らすことができる。
【００１２】
また、本発明のプロテクタは、前記押動部と前記可動ロック部とが、前記カバーの取り付け状態において前記カバーの取り外しに抗するように係止する係止構造を有しているものとしてもよい。このような構成によれば、押動部と可動ロック部とに、バスバーの抜け止め機能に加えて、カバーの外れ止め機能を付加することができる。
【００１３】
また、本発明のプロテクタは、バスバーの周縁を包囲する包囲壁と、前記包囲壁に設けられ、前記包囲壁の内外方向に弾性変形可能な可動ロック部と、を有し、前記可動ロック部が、自然状態では、前記包囲壁の内周面よりも内側に突出して前記バスバーに係止する係止姿勢をとり、押動部によって押し動かされることで、前記包囲壁の内周面と面一もしくは内周面よりも外側に退避した退避姿勢になるものとしてもよい。このような構成によれば、押動部によって、可動ロック部を退避位置に押し動かして、バスバーに負荷をかけずにバスバーを収容部に収容し、押動部による力を解放すると、可動ロック部が弾性復帰して係止姿勢になり、バスバーが抜け止めされるから、バスバーに負荷をかけずに組み付けることができる。
【００１４】
また、本発明のプロテクタは、前記可動ロック部の下端部に、前記可動ロック部の自然状態において、前記包囲壁の内周面よりも内側に突出する突出部が設けられ、前記可動ロック部の上端側を内側に押し動かすことで、前記突出部が前記包囲壁の内周面と面一もしくは内周面よりも外側に退避するようになっているものとしてもよい。このような構成によれば、可動ロック部の上端側を押し動かすことにより、可動ロック部を退避姿勢にすることができるから、例えば可動ロック部の下端側を押し動かす場合に比して、可動ロック部を容易に退避姿勢にすることができる。
【００１５】
＜実施例１＞
以下、本発明を具体化した実施例１について、図１〜図１０を参照しつつ詳細に説明する。
本実施例におけるバスバーモジュールは、車両等に搭載される電池パックを構成する複数の図示しない単電池（ニッケル水素電池やリチウムイオン電池等の二次電池）を電気的に接続するものである。バスバーモジュールは、異なる単電池の正極端子および負極端子が接続されるバスバーＢと、バスバーＢを保持する絶縁樹脂製のプロテクタＰとを備えている。バスバーＢは、略方形の薄板状をなしている。以下、各構成部材において、図１の上側を上方、下側を下方として説明する。
【００１６】
プロテクタＰは、バスバーＢを保持するプロテクタ本体１０と、プロテクタ本体１０の上面側に被せ付けられるカバー３０とを備えている。
プロテクタ本体１０は、バスバーＢの周縁を包囲する包囲壁１１を備えている。包囲壁１１は、バスバーＢの全周に沿って略垂直に立つ壁状をなしている。包囲壁１１の上面側は、全体が上方に開口している。包囲壁１１には、上方からバスバーＢが挿入されて収容される。
【００１７】
包囲壁１１は、バスバーＢの周縁のうち長手方向に延びる縁に沿う一対の第１壁部１１Ｆと、短手方向に延びる縁に沿う一対の第２壁部１１Ｓとを備えた方形状をなしている（図３参照）。第１壁部１１Ｆの厚さ寸法（包囲壁１１の内外方向の寸法）は、第２壁部１１Ｓの厚さ寸法よりも大きくされている。
【００１８】
プロテクタ本体１０は、バスバーＢが載置される載置部１２を備えている。載置部１２は、包囲壁１１の下面側に設けられている。載置部１２は、包囲壁１１の下端に架け渡されて複数が設けられている。複数の載置部１２は、一対の第２壁部１１Ｓの間に、互いに略平行をなして架け渡されている。載置部１２の上面は、包囲壁１１の下端と同じ高さに位置している。複数の載置部１２の間の上下方向に開口した部分に、単電池の電極端子が配され、載置部１２の上面に載置されたバスバーＢに、溶接等により接続される。
【００１９】
包囲壁１１には、図１に示すように、後述するカバー３０の係止部３４が係止可能な係止受け部１３が設けられている。係止受け部１３は、一対の第１壁部１１Ｆの両方に設けられている。一対の第１壁部１１Ｆのうち一方に設けられた係止受け部１３は、第１壁部１１Ｆの一端側に寄った位置に配され、他方に設けられた係止受け部１３は、第１壁部１１Ｆの他端側に寄った位置に配されている。言い換えると、一対の係止受け部１３は、包囲壁１１の中心を挟んで斜め方向に向かい合う（斜向かいの）位置に配されている。
【００２０】
係止受け部１３は、第１壁部１１Ｆの上端部に、包囲壁１１の周方向に架け渡された形態で設けられている。係止受け部１３のうち包囲壁１１に連なる両端部には、上下方向に幅寸法が増された補強部１４が設けられている。係止受け部１３は、包囲壁１１の外周面側に形成されている。
【００２１】
係止受け部１３の内側には、後述するカバー３０の係止片３２が差し入れられる差入部（以後、第１差入部１５と称する）が、上下方向に貫通して形成されている。第１差入部１５は、上方から見ると、包囲壁１１に沿って長い長方形状をなしている。
【００２２】
第１差入部１５の内側には、高さ方向の全体にわたって内壁１６が立ち上がっている。内壁１６は、包囲壁１１の内周面と段差なく連なっている。
包囲壁１１には、包囲壁１１の内外方向に弾性変形可能な可動ロック部１７が設けられている（図２参照）。可動ロック部１７は、自然状態では、全体が包囲壁１１の内周面と面一に退避した退避姿勢をとり、後述する押動部３５によって押し動かされることで、可動ロック部１７の下部が包囲壁１１の内周面よりも内側に突出してバスバーＢに係止する係止姿勢になる（図１０参照）。可動ロック部１７が退避姿勢である場合には、可動ロック部１７をバスバーＢによって押圧することなく、包囲壁１１の内側にバスバーＢを収容することができる。
【００２３】
可動ロック部１７は、一対の第１壁部１１Ｆの両方に設けられている。可動ロック部１７は、対向する第１壁部１１Ｆの係止受け部１３と向かい合う位置に設けられている。一対の可動ロック部１７は、包囲壁１１の中心を挟んで斜め方向に向かい合う（斜向かいの）位置に配されている。
【００２４】
可動ロック部１７は、包囲壁１１の下端から上方に延びる一対のスリット（以後、第１スリット１８と称する）の間に形成されている。可動ロック部１７は、包囲壁１１よりも薄い板状をなし、包囲壁１１の内周面に沿って形成されている。可動ロック部１７は、下端が自由端の片持ち状をなし、上端部（後述する可動片部１９との連結部２５）を支点にして、下端側が包囲壁１１の内側に弾性変位可能とされている。可動ロック部１７の下端は、包囲壁１１の下端よりも上側に位置している。可動ロック部１７の内外両面はいずれも平坦な面とされている。
【００２５】
可動ロック部１７の両側には、包囲壁１１の内外方向に弾性変形可能な可動片部１９が設けられている。可動片部１９は、自然状態では、全体が包囲壁１１の内周面と面一に配されている。可動片部１９は、後述する押動部３５によって可動ロック部１７が内側に押し動かされることで、下端部（包囲壁１１との連結部２６）を支点にして、包囲壁１１の内周面よりも内側に撓むようになっている。
【００２６】
可動片部１９は、包囲壁１１の上端から下方に延びるスリット（以後、第２スリット２１と称する）と第１スリット１８との間に形成されている。可動片部１９は、可動ロック部１７と同等の薄い板状をなし、包囲壁１１の内周面に沿って形成されている。可動片部１９の内外両面はいずれも平坦な面とされている。
【００２７】
可動ロック部１７および可動片部１９は、全体として包囲壁１１よりも薄い板状をなし、包囲壁１１の内外方向に弾性変形可能な可動部２２を構成している。可動部２２は、一対の第２スリット２１の間に形成された部分の全体である。可動部２２は、連結部２６を支点にして、上端側が包囲壁１１の内側に弾性変位可能とされている。
【００２８】
可動部２２の外側には、後述するカバー３０の押動片３６が差し入れられる差入部（以後、第２差入部２３と称する）が、上下方向に貫通して形成されている。第２差入部２３は、上方から見ると、包囲壁１１に沿って長い長方形状をなしている。なお、第２差入部２３は、第１差入部１５よりも細長い形状をなしている。
【００２９】
第２差入部２３の外側には、高さ方向の全体にわたって外壁２４が立ち上がっている。外壁２４は、可動部２２全体の外側を覆っている。外壁２４は、包囲壁１１の外周面と段差なく連なっている。外壁２４は、可動部２２よりも厚さ寸法が大きくされている。外壁２４は、可動ロック部１７の外側に位置して、後述する押動部３５を外側から支持する支持部を構成している。
【００３０】
カバー３０は、包囲壁１１の上面側に取り付けられる（図１参照）。カバー３０は、包囲壁１１の上端開口の全体を覆う蓋板部３１と、プロテクタ本体１０の係止受け部１３に係止可能な係止片３２とを備えている。蓋板部３１は略方形の板状をなし、係止片３２は、蓋板部３１の周縁から略垂直に垂下した板状をなしている。
【００３１】
係止片３２は、図６に示すように、上下方向の寸法よりも幅寸法が若干大きい方形状をなしている。係止片３２の下端の両角部は、斜めに切り欠かれて、誘込部３３が形成されている。
【００３２】
係止片３２には、係止受け部１３に下方から係止する係止部３４が突設されている。係止部３４は、図８に示すように、係止片３２の下端部に、外側に突出して設けられている。係止部３４の上面は水平な面、突出端面は垂直な面、下面は傾斜した面とされている。
【００３３】
カバー３０には、可動ロック部１７を押し動かす押動部３５が一体に形成されている。押動部３５は、可動ロック部１７に対応する位置に設けられた押動片３６に突設されている。
【００３４】
押動片３６は、蓋板部３１の周縁から略垂直に垂下した板状をなしている。押動片３６の上部は、下部よりも幅寸法が大きい幅広部３７、下部は、上部よりも幅寸法が小さい幅狭部３８とされている（図６参照）。幅広部３７の上下方向の寸法は、係止片３２の上下方向の寸法と同等とされている。
【００３５】
幅狭部３８は、幅広部３７の幅方向における中心から下方に突出している。幅狭部３８の幅寸法は、可動ロック部１７の幅寸法よりも若干大きくされている。
幅広部３７の両端縁は、図６に示すように、上端から幅狭部３８に向かって、次第に幅広部３７の幅寸法が小さくなるように傾斜している。幅広部３７の両端縁の傾斜は、係止片３２の誘込部３３の傾斜と同等の勾配とされている。
【００３６】
押動部３５は、幅狭部３８の下端に、内側に突出して設けられている。押動部３５は、図６に示すように、押動片３６の幅方向における中央部に位置し、向かい合う係止片３２の係止部３４と、カバー３０の長手方向における位置が揃っている。図８に示すように、押動部３５の上面は水平な面、突出端面は垂直な面、下面は傾斜した面とされている。押動部３５は、係止部３４と概ね同じ形状とされている。なお、蓋板部３１のうち押動部３５の上方に位置する部分は、上下方向に貫通した貫通孔となっている。
【００３７】
次に、本実施例におけるバスバーモジュールの組み付け作業の一例を説明する。
まず、プロテクタ本体１０にバスバーＢを収容する（図７参照）。このとき、可動ロック部１７は自然状態にあり、全体が包囲壁１１の内周面に面一に配された退避姿勢をとっている。バスバーＢを包囲壁１１の内側に上方から挿入すると、バスバーＢの周縁部は可動ロック部１７に引っ掛かることなく、包囲壁１１の内周面に沿って下方に滑る。バスバーＢは、載置部１２の上面に載置されてプロテクタ本体１０に収容される。
【００３８】
次に、プロテクタ本体１０にカバー３０を被せ付ける（図８参照）。カバー３０の押動片３６をプロテクタ本体１０の第２差入部２３に、カバー３０の係止片３２をプロテクタ本体１０の第１差入部１５に対応する向きにしてカバー３０を被せる。すると、まず先に押動片３６の幅狭部３８が第２差入部２３に入り込み、図９に示すように、可動部２２の上端側が、押動部３５によって押圧されて包囲壁１１の内側に弾性的に撓む。押動片３６は、可動部２２の弾発力（弾性復帰しようとする力）を受けて外壁２４に当接しつつ、第２差入部２３を下方に進む。
【００３９】
次いで、係止片３２の係止部３４が第１差入部１５に入り込む。この際、係止片３２の下端の誘込部３３によって、係止片３２は第１差入部１５に誘い込まれ、カバー３０の全体がプロテクタ本体１０に対して正規の位置に定まる。第１差入部１５に入り込んだ係止部３４は、係止受け部１３を外側に弾性的に撓ませる。係止部３４が係止受け部１３を乗り越えて下方に至ると、図１０に示すように、係止受け部１３は内側に弾性復帰し、係止受け部１３の下面に係止部３４の上面が下方から係止した状態になる。これにより、カバー３０は外れ止めされ、プロテクタ本体１０に被せ付けられた状態に保持される。
【００４０】
このとき、押動部３５は、第２差入部２３の下端部に至り、可動ロック部１７の下端部が、押動部３５によって内側に弾性的に押し動かされ、バスバーＢの上方に位置した状態になる。これにより、バスバーＢは、包囲壁１１の内側に抜け止めされ、プロテクタ本体１０に収容された状態に保持される。
以上により、バスバーモジュールの組み付け作業が完了する。
【００４１】
次に、上記のように構成された実施例の作用および効果について説明する。
本実施例におけるプロテクタＰは、バスバーＢの周縁を包囲する包囲壁１１と、包囲壁１１の内外方向に弾性変形可能な可動ロック部１７と、を有し、可動ロック部１７が、自然状態では、包囲壁１１の内周面と面一に退避した退避姿勢をとり、押動部３５によって押し動かされることで、包囲壁１１の内周面よりも内側に突出してバスバーＢに係止する係止姿勢になるものである。
【００４２】
この構成によれば、自然状態では、可動ロック部１７が退避姿勢をとるから、バスバーＢに負荷をかけずにバスバーＢを包囲壁１１の内側に収容することができ、バスバーＢを包囲壁１１の内側に収容した後に、押動部３５によって可動ロック部１７を係止姿勢に押し動かすことで、バスバーＢが可動ロック部１７によって抜け止めされる。したがって、バスバーＢに負荷をかけずに組み付けることができる。
【００４３】
また、プロテクタＰは、可動ロック部１７の外側に位置して、押動部３５を外側から支持する外壁２４を備えている。この構成によれば、可動ロック部１７の弾発力で押動部３５が外側に変位することが防がれるから、可動ロック部１７を確実に内側に押し動かすことができる。
【００４４】
また、包囲壁１１の上面側に取り付けられるカバー３０を有し、押動部３５が、カバー３０に一体に形成されている。この構成によれば、押動部３５とカバー３０とを別体に設ける場合に比して、部品点数を減らすことができる。
【００４５】
＜実施例２＞
次に、本発明を具体化した実施例２に係るバスバーモジュールを図１１〜図１６によって説明する。
本実施例のバスバーモジュールは、押動部３５と可動ロック部１７とが、カバー３０の取り付け状態においてカバー３０の取り外しに抗するように係止する係止構造４０を有している点で、実施例１とは相違する。なお、実施例１と同様の構成には同一符号を付して重複する説明を省略する。
【００４６】
本実施例に係るバスバーモジュールは、実施例１と同様に、バスバーＢの周縁を包囲する包囲壁１１と、包囲壁１１の内外方向に弾性変形可能な可動ロック部１７と、を有し、可動ロック部１７が、自然状態では、包囲壁１１の内周面と面一に退避した退避姿勢をとり、押動部３５によって押し動かされることで、包囲壁１１の内周面よりも内側に突出してバスバーＢに係止する係止姿勢になるものである。また、実施例１と同様、バスバーモジュールは、包囲壁１１の上面側に取り付けられるカバー３０を有し、押動部３５が、カバー３０に一体に形成されている。
【００４７】
可動ロック部１７の外側面（外壁２４との対向面）には、図１１に示すように、係止構造４０を構成する係止突起４１が突設されている。係止突起４１は、可動ロック部１７の上下方向における中央部（連結部２５よりも下側）に設けられている。係止突起４１の下面は、上下方向に対して略直角をなす係止受け面４２とされている。係止突起４１には、上端から係止受け面４２に向かって次第に突出寸法が増すように傾斜した可動側傾斜面４３が形成されている。係止突起４１は、可動ロック部１７の幅方向における中央部に位置している。
【００４８】
押動部３５は、実施例１と同様、幅狭部３８の下端に、内側に突出して設けられている（図１３参照）。押動部３５の上面には、係止構造４０を構成する係止面４４が形成されている。係止面４４は、水平な面（上下方向に対して直角をなす面）とされ、可動ロック部１７の係止受け面４２に下方から係止可能とされている。
【００４９】
押動部３５は、上下方向における中心部の突出寸法が最も大きくなっている。押動部３５には、係止面４４から下方に向かって次第に突出寸法が増すように傾斜した第１傾斜面４５と、上下方向における中心部から下端に向かって次第に突出寸法が小さくなるように傾斜した第２傾斜面４６とが形成されている。
【００５０】
プロテクタ本体１０にバスバーＢを収容する際には、実施例１と同様、可動ロック部１７は自然状態にあり、図１４に示すように、全体が包囲壁１１の内周面に面一に配された退避姿勢をとっているから、バスバーＢは可動ロック部１７に引っ掛かることなく包囲壁１１の内側に収容される。
【００５１】
プロテクタ本体１０にカバー３０を被せ付ける際には、実施例１と同様、図１５に示すように、押動部３５が可動ロック部１７の連結部２５を内側に撓ませつつ第２差入部２３に入り込む。やがて、押動部３５の第２傾斜面４６が可動ロック部１７の可動側傾斜面４３に摺接し、押動部３５が係止突起４１を乗り越えると、図１６に示すように、可動ロック部１７が弾性復帰する。押動部３５の係止面４４は、可動ロック部１７の係止受け面４２に下方から当接して上下方向に係止した状態になる。このとき、可動ロック部１７の下部（係止突起４１より下側の部分）は、押動部３５の第１傾斜面４５に当接した斜め姿勢になり、バスバーＢの上方に位置した状態になる。
【００５２】
同時に、実施例１と同様、係止受け部１３の下面に係止部３４の上面が下方から係止した状態になる。これにより、カバー３０は、係止受け部１３と係止部３４との係止に加えて、押動部３５と可動ロック部１７とが係止し、計４箇所において外れ止めがなされた状態になる。
【００５３】
以上のように本実施例においては、可動ロック部１７が、自然状態では退避姿勢をとるから、バスバーＢに負荷をかけずにバスバーＢを包囲壁１１の内側に収容することができ、バスバーＢを包囲壁１１の内側に収容した後に、押動部３５によって可動ロック部１７を係止姿勢に押し動かすことで、バスバーＢが可動ロック部１７によって抜け止めされる。したがって、実施例１と同様、バスバーＢに負荷をかけずに組み付けることができる。
【００５４】
加えて、押動部３５と可動ロック部１７とが、カバー３０の取り付け状態においてカバー３０の取り外しに抗するように係止する係止構造４０を有しているから、押動部３５と可動ロック部１７とに、バスバーＢの抜け止め機能に加えて、カバー３０の外れ止め機能を付加することができ、カバー３０の保持力を高めることができる。
【００５５】
＜実施例３＞
次に、本発明を具体化した実施例３に係るバスバーモジュールを図１７〜図２１によって説明する。
本実施例のバスバーモジュールは、可動ロック部１７が、自然状態では、包囲壁１１の内周面よりも内側に突出してバスバーＢに係止する係止姿勢をとり、押動部３５によって押し動かされることで、包囲壁１１の内周面よりも外側に退避した退避姿勢になる点で、実施例１とは相違する。なお、実施例１と同様の構成には同一符号を付して重複する説明を省略する。
【００５６】
本実施例に係るバスバーモジュールは、実施例１と同様に、バスバーＢの周縁を包囲する包囲壁１１と、包囲壁１１の内外方向に弾性変形可能な可動ロック部１７と、を有している。
【００５７】
可動ロック部１７の下端部には、可動ロック部１７の自然状態において、包囲壁１１の内側に突出する突出部５０が設けられている。突出部５０は、可動ロック部１７の下端に沿って内側に突設されている。突出部５０は、図１８に示すように、可動ロック部１７の全幅にわたって形成されている。突出部５０の上面は、図２０に示すように、内側に向かって下がる傾斜した面とされ、下面は、水平な面とされている。可動ロック部１７の自然状態では、突出部５０のみが包囲壁１１の内周面よりも内側に突出し、可動部２２を含む他の部分の全体は、包囲壁１１の内周面と面一になっている。
【００５８】
可動片部１９の下端は、図１８に示すように、突出部５０よりも上側に位置し、可動片部１９と包囲壁１１との連結部２６は、実施例１に比して幅寸法が小さく、また上方に位置している。これにより、可動部２２は、実施例１に比して撓みやすく、また実施例１に比して撓みの支点が上方（包囲壁１１の高さ方向における中間部）に位置している。
【００５９】
可動片部１９の下端は、カバー３０に設けられた係止爪５１が、下方から係止可能な被係止部５２とされている。
係止爪５１は、押動片５３に設けられている。押動片５３は、全体が方形状をなしており、係止爪５１は、押動片５３の下端部に突設されている。係止爪５１は、押動片５３の幅方向に離れて一対が設けられている。一対の係止爪５１は、対向する第１壁部１１Ｆの係止部３４に対し、カバー３０の長手方向における両側にずれた位置に配されている。係止爪５１の上面は、水平な面とされ、下面は、下端に向かって次第に突出寸法が小さくなるように傾斜した面とされている（図２１参照）。
【００６０】
本実施例におけるバスバーモジュールの可動ロック部１７は、自然状態において、突出部５０が包囲壁１１の内周面よりも内側に突出した係止姿勢をとっている。このため、バスバーＢを包囲壁１１の内側に上方から挿入すると、図２０に示すように、バスバーＢの周縁部が突出部５０の上面に載置された状態になる。そこで、作業者が手もしくは治具により、可動ロック部１７を押し動かして退避姿勢にする。可動ロック部１７の上端側を包囲壁１１の内側に押し動かすと、連結部２６を支点として可動部２２が斜めに傾き、可動ロック部１７の下端側が包囲壁１１の外側に変位する。言い換えると、可動ロック部１７は、連結部２６を支点にして、上側が内側に、下側が外側に、シーソー状をなすように変形する。これにより、突出部５０は、包囲壁１１の内周面よりも外側に退避し、バスバーＢは、突出部５０の上面を滑って載置部１２の上面に載置される。
【００６１】
プロテクタ本体１０にカバー３０を被せ付ける際には、実施例１と同様、押動片５３が第２差入部２３に入り込み、係止爪５１に押圧された可動部２２は包囲壁１１の内側に弾性撓みする。係止爪５１が被係止部５２に係止すると同時に、可動部２２は弾性復帰し、可動ロック部１７は係止姿勢になる。これにより、カバー３０が外れ止めされるとともに、バスバーＢが抜け止めされる。
【００６２】
同時に、実施例１と同様、係止受け部１３の下面に係止部３４の上面が下方から係止した状態になり、カバー３０は、係止受け部１３と係止部３４との係止に加えて、押動片５３と可動部２２とが係止することで、強固に外れ止めがなされる。
【００６３】
以上のように本実施例においては、可動ロック部１７が、自然状態では、包囲壁１１の内周面よりも内側に突出してバスバーＢに係止する係止姿勢をとり、手もしくは治具によって押し動かされることで、包囲壁１１の内周面よりも外側に退避した退避姿勢になるものであるから、押動部３５によって、可動ロック部１７を退避位置に押し動かして、バスバーＢに負荷をかけずにバスバーＢを収容部に収容し、押動部３５による力を解放すると、可動ロック部１７が弾性復帰して係止姿勢になり、バスバーＢが抜け止めされる。したがって、実施例１と同様、バスバーＢに負荷をかけずに組み付けることができる。
【００６４】
＜他の実施例＞
本発明は上記記述及び図面によって説明した実施例に限定されるものではなく、例えば次のような実施例も本発明の技術的範囲に含まれる。
（１）上記実施例では、包囲壁１１が方形状をなしているが、これに限らず、包囲壁の形状は、バスバーの形状に合わせて適宜変更してもよい。
（２）上記実施例では、可動ロック部１７の外側に、外壁２４が設けられているが、これに限らず、必ずしも外壁を設けなくてもよく、例えば押動片の剛性を高めることで、可動ロック部の弾発力で押動部が外側に変位することを防いでもよい。
（３）上記実施例１および２では、押動部３５がカバー３０に一体に形成されているが、これに限らず、カバーとは別体に設けられた押動部をプロテクタに組み付けるものとしてもよい。
【符号の説明】
【００６５】
Ｂ…バスバー
Ｐ…プロテクタ
１１…包囲壁
１７…可動ロック部
２４…外壁（支持部）
３０…カバー
３５…押動部
４０…係止構造
５０…突出部
【図１】
2017134959.tif 000003
【図２】
2017134959.tif 000004
【図３】
2017134959.tif 000005
【図４】
2017134959.tif 000006
【図５】
2017134959.tif 000007
【図６】
2017134959.tif 000008
【図７】
2017134959.tif 000009
【図８】
2017134959.tif 000010
【図９】
2017134959.tif 000011
【図１０】
2017134959.tif 000012
【図１１】
2017134959.tif 000013
【図１２】
2017134959.tif 000014
【図１３】
2017134959.tif 000015
【図１４】
2017134959.tif 000016
【図１５】
2017134959.tif 000017
【図１６】
2017134959.tif 000018
【図１７】
2017134959.tif 000019
【図１８】
2017134959.tif 000020
【図１９】
2017134959.tif 000021
【図２０】
2017134959.tif 000022
【図２１】
2017134959.tif 000023